(57)【要約】【課題】この発明は、作業スペースが確保され、作業の効率性が良く、安全性にも優れたペット用美容車両を提供することを課題とする。【解決手段】この発明のペット美容車両は、内側にペット洗浄空間Ｐを形成すると共にこのペット洗浄空間Ｐを上方に開放したものとする開口Ｑを形成してある浴槽本体４１と、この浴槽本体４１を支持する支持体４３と、それ自体を浴槽本体４１に取り付けて前記開口Ｑを部分的或いは全体的に閉塞する閉塞状態Ｒとすることができる天板部４２とから構成してあると共に、前記閉塞状態Ｒにおいて前記天板部４２にぺットを載せ置くことができるようにしたペット美容作業台４を備えたことを特徴とする。【選択図】　　　　図４
2004024148.tif 000002
【特許請求の範囲】
【請求項１】
内側にペット洗浄空間Ｐを形成すると共にこのペット洗浄空間Ｐを上方に開放したものとする開口Ｑを形成してある浴槽本体４１と、この浴槽本体４１を支持する支持体４３と、それ自体を浴槽本体４１に取り付けて前記開口Ｑを部分的或いは全体的に閉塞する閉塞状態Ｒとすることができる天板部４２とから構成してあると共に、前記閉塞状態Ｒにおいて前記天板部４２にぺットを載せ置くことができるようにしたペット美容作業台４を備えたことを特徴とするペット美容車両。
【請求項２】
内側にペット洗浄空間Ｐを形成すると共にこのペット洗浄空間Ｐを上方に開放したものとする開口Ｑを形成してある浴槽本体４１と、この浴槽本体４１を支持する支持体４３と、それ自体を浴槽本体４１に取り付けて前記開口Ｑを部分的或いは全体的に閉塞する閉塞状態Ｒとすることができる天板部４２と、この閉塞状態Ｒで天板部４２を浴槽本体４１に固定する固定手段４４とから構成してあると共に、前記閉塞状態Ｒにおいて前記天板部４２にぺットを載せ置くことができるようにしたペット美容作業台４を備えたことを特徴とするペット美容車両。
【請求項３】
固定手段４４が、前記浴槽本体４１に設けられた浴槽嵌合部と、天板部４２に設けられた天板嵌合部とが嵌合する嵌合構造であり、天板嵌合部を浴槽嵌合部に嵌合させて前記戴置状態Ｒとしうることを特徴とする請求項２記載のペット美容車両。
【請求項４】
車両後部に設けた空間Ｓと、この空間Ｓに設けてありペット洗浄水を貯溜する給水槽１及び排水槽５と、この給水槽１に連通された湯沸し器２と、これら給水槽１及び湯沸し器２に連通されたシャワー設備３と、ペットの美容作業を行うペット美容作業台４と、車両後端に設けてあり空間Ｓへ乗り降り可能とする乗降設備７とを備えた車両において、前記ペット美容作業台４は、ペット洗浄空間Ｐを形成すると共にこのペット洗浄空間Ｐを上方に開放したものとする開口Ｑを形成する浴槽本体４１と、この浴槽本体４１を支持する支持体４３と、それ自体を浴槽本体４１に取り付けて前記開口Ｑを部分的或いは全体的に閉塞する閉塞状態Ｒとすることができる天板部４２と、この閉塞状態Ｒで天板部４２を浴槽本体４１に固定する固定手段４４とからなり、前記閉塞状態Ｒにおいて天板部４２にぺットを載せ置くことができるようにしてあり、ペット美容作業台４の両側方に作業空間ｓ１１、ｓ１２が形成されるように、前記空間Ｓの後端に配設してあることを特徴とするペット美容車両。
【請求項５】
浴槽本体４１が、ペット洗浄空間Ｐ内の水を排水する排水口４１ａを有してなり、前記排水口４１ａが、排水を濾過する濾過装置８と、この濾過装置８で濾過した排水を排水槽５へ揚水する排水ポンプ９とを介して前記排水槽５に連通されてなり、前記支持体４３の下方に、前記湯沸し器３と濾過装置８とを収蔵したことを特徴とする請求項３または４記載のペット美容車両。
【発明の詳細な説明】
【０００１】
【発明の属する技術分野】
この発明は、ペットの出張美容サービス（洗浄、カット、乾燥等）を車内で行うためのペット用美容車両に関する。
【０００２】
【従来の技術】
従来、ペットの出張美容サービスを車内で行うためのペット用美容自動車として、図７のように、カットなどの美容作業を行う第二作業台６０と、ペット洗浄作業に使う給排水を貯めておく給排水槽１０、５０と、給水槽１０に連結した給湯器（図示せず）と、給湯器や給水槽１０に連結したシャワー式水栓３０と、シャワー式水栓３０の湯水を流す浴槽４０でその排水口が排水槽５０に連結したものとを備えた車両がある。これは、衛生のため車内設備のみでペットの美容（洗浄、カット、乾燥）を行うものである。車内設備のみで行うため洗浄時に外部との給排水連通不要であり、場所を問わず任意の場所で美容可能である。
【０００３】
またこの車両は、多少の細い道でも通り任意の場所へ移動する機動性が必要であるため、車両の大きさが限られ、従って、各機器を設置した車内の美容作業のスペースが限られるものである。
【０００４】
【発明が解決しようとする課題】
しかしながら、上記ペット用美容自動車においては、広さの限られた車内の空間内のそれぞれ異なる位置に、流し台４０と第二作業台６０とを別々に備えるものであり、作業スペースを確保するために浴槽４０や第二作業台６０を車内空間の壁に沿って配置していた（図７）。このため、浴槽４０や第二作業台６０の片側、すなわちこれらの一側面方向である作業空間ｓ１０、ｓ２０からしか作業できず、一つの浴槽４０や第二作業台６０での作業員数が限られたり、洗浄時にペットの保定が不十分になったりして、作業の効率性が良いとはいえないものであった。
また、流し台から作業台へペットを移動させる手間がかかっていた。このため、移動に時間がかかる場合など、作業の効率性が悪いと共に安全性に優れたものとはいえなかった。
【０００５】
【課題を解決するための手段】
そこで、この発明は、このような点を解決すべくなされたものであって、浴槽と作業台とを簡易な構造で一体化することで、浴槽及び作業台をコンパクトな形態とし、限られた車両内の空間で、ペットの美容作業を効率的に行える作業台車両を提供することを主たる目的としている。
【０００６】
すなわち、この発明のペット美容車両は、内側にペット洗浄空間Ｐを形成すると共にこのペット洗浄空間Ｐを上方に開放したものとする開口Ｑを形成してある浴槽本体４１と、この浴槽本体４１を支持する支持体４３と、それ自体を浴槽本体４１に取り付けて前記開口Ｑを部分的或いは全体的に閉塞する閉塞状態Ｒとすることができる天板部４２とから構成してあると共に、前記閉塞状態Ｒにおいて前記天板部４２にぺットを載せ置くことができるようにしたペット美容作業台４を備えたことを特徴とする。
【０００７】
このようなものであれば、平面視同一スペース内で、ペット洗浄空間Ｐにてペットの洗浄作業ができると共に、閉塞状態Ｒとすればペットのカット、乾燥、セット等の作業ができる。
【０００８】
または、内側にペット洗浄空間Ｐを形成すると共にこのペット洗浄空間Ｐを上方に開放したものとする開口Ｑを形成してある浴槽本体４１と、この浴槽本体４１を支持する支持体４３と、それ自体を浴槽本体４１に取り付けて前記開口Ｑを部分的或いは全体的に閉塞する閉塞状態Ｒとすることができる天板部４２と、この閉塞状態Ｒで天板部４２を浴槽本体４１に固定する固定手段４４とから構成してあると共に、前記閉塞状態Ｒにおいて前記天板部４２にぺットを載せ置くことができるようにしたペット美容作業台４を備えたことを特徴とする。
【０００９】
このようなものであれば、平面視同一スペース内で、ペット洗浄空間Ｐにてペットの洗浄作業ができると共に、閉塞状態Ｒとすればペットのカット、乾燥、セット等の作業ができる。さらに、閉塞状態Ｒにおいては、固定手段４４により天板部４２が浴槽本体４１に固定されるので、天板部４２にぺットを載せ置いてカット、乾燥などをする際に天板部４２がずれたりせず、安全に作業ができる。
【００１０】
さらに、固定手段４４が、前記浴槽本体４１に設けられた浴槽嵌合部と、天板部４２に設けられた天板嵌合部とが嵌合する嵌合構造であり、天板嵌合部を浴槽嵌合部に嵌合させて前記戴置状態Ｒとしうることが好ましい。
【００１１】
車両後部に設けた空間Ｓと、この空間Ｓに設けてありペット洗浄水を貯溜する給水槽１及び排水槽５と、この給水槽１に連通された湯沸し器２と、これら給水槽１及び湯沸し器２に連通されたシャワー設備３と、ペットの美容作業を行うペット美容作業台４と、車両後端に設けてあり空間Ｓへ乗り降り可能とする乗降設備７とを備えた車両において、前記ペット美容作業台４は、ペット洗浄空間Ｐを形成すると共にこのペット洗浄空間Ｐを上方に開放したものとする開口Ｑを形成する浴槽本体４１と、この浴槽本体４１を支持する支持体４３と、それ自体を浴槽本体４１に取り付けて前記開口Ｑを部分的或いは全体的に閉塞する閉塞状態Ｒとすることができる天板部４２と、この閉塞状態Ｒで天板部４２を浴槽本体４１に固定する固定手段４４とからなり、前記閉塞状態Ｒにおいて天板部４２にぺットを載せ置くことができるようにしてあり、ペット美容作業台４の両側方に作業空間ｓ１１、ｓ１２が形成されるように、前記空間Ｓの後端に配設してあることを特徴とする。
【００１２】
このようなものであれば、空間Ｓに給水槽１及び排水槽５を設けているので、車両外からの給水や車両外への排水をすることなく車両内設備のみでペットの洗浄作業ができる。したがって、出張先である作業場所の環境に左右されることはない。また、前記空間Ｓの後端付近の作業空間ｓ１１、ｓ１２にてペット美容作業台４の両側方からペットの美容作業ができるので、きわめて効率的にペットの美容作業ができる。
【００１３】
さらにまた、浴槽本体４１が、ペット洗浄空間Ｐ内の水を排水する排水口４１ａを有してなり、前記排水口４１ａが、排水を濾過する濾過装置８と、この濾過装置８で濾過した排水を排水槽５へ揚水する排水ポンプ９とを介して前記排水槽５に連通されてなり、前記支持体４３の下方に、前記湯沸し器３と濾過装置８とを収蔵したものとすることが好ましい。
【００１４】
このようなものであれば、ペット洗浄によるペットの毛等の芥を効率的に回収することができ、排水口４１ａから排水槽までの連通過程で芥がつまりにくくなり、排水槽の保守管理にも優れるものとなる。また、ペット美容作業台４の下方に収蔵してあるので、湯沸し器３や濾過装置８により作業スペースが制限されることはない。
【００１５】
【発明の実施の形態】
以下、この発明の構成を、実施例として示した図面に基づいて詳細に説明する。
【００１６】
図１ないし図６に示すこの発明のペット美容車両は、車両後部に設けた空間Ｓと、この空間Ｓに設けた給水槽１と、この給水槽１に連通された湯沸し器２と、これら給水槽１及び湯沸し器２に連通されたシャワー設備３と、内側にペット洗浄空間Ｐ及びペットの洗浄水を流す排水口４１ａが設けてある浴槽４と、この排水口４１ａに濾過装置８及び排水ポンプ９１を介して連通された排水槽５と、ペットを載置してカット及び乾燥作業を行う第二作業台６と、空間Ｓへ乗り降り可能な乗降設備７とを備えた車両において、前記浴槽４が、その向かい合う一組の両側方において作業空間ｓ１１、ｓ１２が形成されるように前記空間Ｓに配設してなるものとしている。
【００１７】
本実施の形態においては、浴槽４が、平面視細長形状たる矩形形状（すなわち略直方体形状）であり、その短手方向が車両の左右方向に沿うような向きに配設している。また、浴槽４は、車両の空間Ｓの一側方に寄せて配設してある。
【００１８】
以下、各部を詳述する。空間Ｓは、車両の一列座席の後部直近に設けた仕切り壁（図示せず）と、それより後方の車内壁とから構成され、カットからシャワー、乾燥、セットに至るまでの、ペットの美容作業を行いうる空間である。
【００１９】
給水槽１は、車内でペットの洗浄に使用する使用水を貯溜する、平面視細長形状たる矩形のもの略直方体形状のものであり、この直方体形状の長手方向の一側面が空間Ｓの前端面すなわち仕切り壁（図示せず）と接触するように配設される。また給水槽１は、槽本体と蓋板とから構成され、さらに車両前方寄りの一側面の上部に設けられ外部からホースにて使用水を注入する注入口１ａと、加圧ポンプ９２を介して後述のシャワー設備３及び湯沸し器２へ使用水を供給する注出口１ｂとを備える。
【００２０】
注入口１ａは開閉バルブとホースを着脱自在に連通しうる着脱構造とを備え、車両の前方寄りすなわち空間Ｓの前端面に設けられている。このとき、車両の座席の後部直近に設けた仕切り壁（図示せず）が空間Ｓの前端面を構成するので、注入口１ａは、車両の座席ドアの後部直近に設けられることとなる。
【００２１】
湯沸し器２は、水槽内に満たした加圧水を加温器で加温して貯溜するものであり、給水槽１の注出口１ｂから加圧ポンプを介して連通されると共に、シャワー設備３に連通される。加温器は、空間Ｓの前後方向に沿って配設された貯湯槽の下方に設けられる収蔵空間のうち、前方寄りの位置に配設される。加温器は、車両の動力部である走行エンジンのラジエータを延長してなる金属性配管からなり、エンジンの熱で高温となったラジエータ冷却水が配管内を通ることで、金属の熱伝導により配管外たる貯湯槽内を加温するものである（図示せず）。
【００２２】
シャワー設備３は、湯沸し器２による給水と給水槽１からの給水とを混合する混合式シャワー水栓であり、温度調節器及びシャワーを掛置する掛置台を、空間Ｓの側端面を構成する内側壁に備えてなる。実施例では、後述の浴槽４の両側方に形成される作業空間ｓ１１、１２のうち、狭いほうの空間（より車両内側壁に近いほうの空間）ｓ１２に、これら温度調節器及び掛置台を配設している。これらシャワー設備３の各要素（混合式シャワー水栓、温度調節器及び掛置台）は、それぞれ複数のものとしても良い（図示せず）。例えば、掛置台は、空間Ｓの後端面を構成する内壁（本実施例では、乗降設備７のドアの内面）に配設しても良い。
【００２３】
浴槽４は、内側にペット洗浄空間Ｐを形成すると共にこのペット洗浄空間Ｐを上方に開放したものとする開口Ｑを形成してある浴槽本体４１と、それ自体を浴槽本体４１に取り付けて前記開口Ｑを部分的或いは全体的に閉塞する閉塞状態Ｒとすることができる天板部４２と、この閉塞状態Ｒで天板部４２を浴槽本体４１に固定する固定手段４４とから構成してある（図６〜図７）。
【００２４】
また、浴槽４は、平面視矩形形状の略直方体形状であり、その平面視短手方向の一側面が前記空間Ｓの後端面と接するように配設してなる。このとき、前記空間Ｓの後端面は乗降設備７のドアの内側壁で構成されるので、浴槽４の一側面は乗降設備７の開口部近傍となる。また、浴槽４の長手方向の両側方には作業空間ｓ１１、ｓ１２が形成される（図６〜図７）。浴槽４の下方には、前記湯沸し器２と、濾過装置８と、排水ポンプ９１と、加圧ポンプ９２とを収蔵してなる。さらに具体的には、濾過装置８が、乗降設備７の付近寄りである、空間Ｓの後方寄りに配設して収蔵されている。
【００２５】
浴槽本体４１は、内側にペットの身体の一部又は全部を入れることができる大きさの凹形状部分であり、この凹形状部分へペットの身体の一部又は全部を入れた状態で湯水を流すものである。具体的には、前記ペット洗浄空間Ｐの側面縁たる周面及びそれ自体の上端縁にて開口Ｑの周縁を構成する側部４１ｂと、側部４１ｂの下端と連続してなり前記ペット洗浄空間Ｐの下端面たる下面の縁を構成する底部４１ｃと、これら側部４１ｂ又は底部４１ｃに設けられペット洗浄空間Ｐ内の水を排水する排水口４１ａとから構成されてなる。
【００２６】
排水口４１ａは、略矩形形状の底部４１ｃの中心付近に設けられ、排水を濾過する濾過装置８と、この濾過装置８で濾過した排水を排水槽５へ揚水する排水ポンプ９１とを介して排水槽５に連通されてなるものである。排水口４１ａは、略矩形形状の底部４１ｃの中心付近に設けているので、ペットの四本足で排水口が塞がれるおそれが少なくなるため、洗浄水を効率的に排水することができると共に排水口にペットの足等が吸い込まれる等の事故を未然に防ぐことができる。すなわち、効率的かつ安全に洗浄作業が行えるものとなる。
【００２７】
側部４１ｂは、側部４１ｂの内面が浴槽本体の内側面であり、ペット洗浄空間Ｐの側縁の面を構成する。またペット洗浄空間Ｐは開口Ｑにより上方に開放したものであるため、側部４１ｂの上端縁にて開口Ｑの周縁を構成する。
【００２８】
底部４１ｃは、平面視細長形状たる略矩形形状の板により構成され、その略中央に排水口４１ａが設けられている。浴槽本体４１内にペットを出し入れしやすくするためには、底部４１ｃの略矩形形状が、開口Ｑより小さいことが望ましい（図示せず）。また、この排水口４１ａにかけてわずかな傾斜（テーパー）を設けてあり、より効率的に排水されると共に、不要に排水が溜まらないようにしてペット等が滑る等による事故を未然に防ぐことができる（図示せず）。傾斜による不要な滑りをなくすには、傾斜の角度は、約５度までが好ましい。
【００２９】
天板部４２は、それ自体を浴槽本体４１に取り付けて前記開口Ｑを部分的或いは全体的に閉塞する閉塞状態Ｒとすることができるものである。すなわち、閉塞状態Ｒで浴槽本体４１を掩蔽するものである。具体的には、浴槽本体４１を掩蔽して開口Ｑを全体的に閉塞する天板本体４２ａと、天板本体４２ａの下面に突出して設けられた天板嵌合部たる嵌合突部４２ｂと、天板本体４２ａの側方に設けられた把持部４２ｂとからなる。
【００３０】
天板本体４２ａは、前記閉塞状態Ｒにおいてぺットを載せ置くことができる強度を有する薄型の板状のものである。また板の平面形状は、支持体４３の平面形状と一致する。このようにすれば、閉塞状態Ｒにおいて天板本体４２ａが側方に突出することはなく、安全性に優れると共に体裁も良いものとなる。
【００３１】
嵌合突部４２ｂは、開口Ｑより小さい平面矩形形状であり、板状のものである。
【００３２】
把持部４２ｃは、天板本体４２ａの両側面下方に切り欠き部を設けてなる。このようなものとすれば、別体として把持部を設けることが不要となり、製造コスト及び強度にも優れ、また把持部４２ｃが天板本体４２ａから突出することがないので、安全性にも優れる。
【００３３】
支持体４３は、この浴槽本体４１を下方又は側方から支持するものである。より具体的には、側部４１ｂの上端縁すなわち開口Ｑの周縁にて浴槽本体４１の外側面を支持するとともに保護するものであり、複数の足部４３ａと、各足部４３ａ間に設けられた短手側面及び長手側面の保守空間Ｔ、Ｕと、この保守空間Ｔ、Ｕを覆う板状の保守用板とを備える。前記支持体４３の下方には、前記湯沸し器３と濾過装置８と排水ポンプ９１とを収蔵してなる。
【００３４】
なお、支持体４３は、浴槽本体４１を下方から支持するものでも良い（図示せず）。例えば載置等により浴槽本体４１を支える台状のものとすれば、簡単な構成となるため製造が容易となり安価に提供できるものとなる。
【００３５】
また、支持体４３を浴槽本体４１に着脱自在に取り付けたものとすれば、車両に固定した支持体４３から浴槽本体４１のみを取り外すことができる（図示せず）。これにより、別の場所でペットの洗浄作業をしたり、支持体４３、浴槽本体４１などの保守清掃を容易に行ったりすることができる。
【００３６】
固定手段４４は、閉塞状態Ｒで天板部４２を浴槽本体４１に固定するものである。固定手段４４は、前記浴槽本体４１に設けられた浴槽嵌合部と、天板部４２に設けられた天板嵌合部とが嵌合する嵌合構造であり、天板嵌合部を浴槽嵌合部に嵌合させて前記戴置状態Ｒとしうる。具体的には、天板部４２の下面に突出して設けられた天板嵌合部たる嵌合突部４２ｂと、浴槽嵌合部たる側部４１ｂとが嵌合する構造であり、前記浴槽本体４１の内側面と、嵌合突部４２ｂの外側面とが前記開口Ｑにて摺接して嵌合する構造であり、この嵌合した状態で、前記戴置状態Ｒとなるものである。浴槽嵌合部を浴槽本体４１の側部４１ｂとすることで、浴槽本体４１や支持体４３に浴槽嵌合部を形成することが不要となる。すなわち、浴槽嵌合部を浴槽本体４１の側部４１ｂと一体のものとすることで、構造の簡易化による成形コスト削減や耐久性能の向上が可能となる。
【００３７】
排水槽５は、車内でペットの洗浄に使用した後の使用水を貯溜する、平面視細長形状たる略直方体形状のものであり、この直方体形状の長手方向の一側面が空間Ｓの前端面すなわち仕切り壁（図示せず）と接触するように配設される。排水槽５は、車両前方寄りの一側面の上部に設けられた排水する注出口５ｂと、車両前方寄りの一側面の上部に設けられた注入口５ａとを備える（図８〜図１０）。また排水槽５は、槽本体５１と蓋板５２とから構成され、注出口５ｂの着脱構造５ｄから外部へ連通したホースにて使用水を回収するものである。
【００３８】
槽本体５１は、上方に開放した箱型であり、貯溜する使用水たる排水が車両の振動などによってもこぼれないようにするため、上部に返し板５１ａを備える。
【００３９】
排水する注入口５ａは、排水ポンプ９１により揚水された排水を排水槽５の槽本体５１内に注入するものである。
【００４０】
注出口５ｂは、排水ポンプ９１から揚水される使用水たる排水を槽本体５１へ注入するものであり、ホースを着脱自在に連通しうる着脱構造５ｄと開閉バルブ５ｃとを備え、車両の前方寄りすなわち空間Ｓの前端面に接するように設けられている。このとき、車両の座席の後部直近に設けた仕切り壁が空間Ｓの前端面を構成するので、注出口５ｂは、車両の座席ドアの後部直近に設けられることとなる。
【００４１】
第二作業台６は、前記給水槽１と前記排水槽５とを並設して一体としたものとし、左右方向に沿うような向きで配設される。第二作業台６は、第二作業台６の長手方向の一側面が前記空間Ｓの前端面と接するように座席ドアの近傍に配設し、このとき、第二作業台６の長手方向の他側面方向に作業空間ｓ２１が形成される（図８〜図１０）。
【００４２】
作業天板６２は蓋板５２と蓋板１２とを並設して一体としてなる。
【００４３】
乗降設備７は、開口部と、開口部を開閉する一対の両開きのドアと、開口部に近接して載置可能な乗降階段とからなり、車両後端に設けてある。
【００４４】
濾過装置８は、排水口４１ａからのペット洗浄後の排水を複数の濾過層により濾過して、ペットの毛等の洗浄による汚物を回収するものであり、本実施例では二重の濾過層としている。排水口４１ａに取り付けられた一次濾過層たる碗トラップ８１と、碗トラップ８１の排水口８１ａの下方に設けられた二次濾過層たる濾過網８２と、濾過網８２を支持すると共に二次濾過水を貯溜する濾過水槽８３とが設けてある。
【００４５】
濾過網８２は、碗トラップ８１の排水口８１ａから濾過水槽８３への間接排水を濾過するものであり、碗トラップ８１と濾過水槽８３との間に空間を設けているため、濾過水槽８３から容易に取り外すことができる。
【００４６】
濾過水槽８３は、前記浴槽４の下方にて乗降設備７の付近寄りに配設されることが好ましい。
【００４７】
その他、空間Ｓに換気扇Ｆ、コンセントＣ、スポットライトＬを設けたものとすることができる。
【００４８】
以上のように構成されたこの発明のペット美容車両は、以下のようにしてペットの美容作業及び保守管理ができる。
【００４９】
ペットを乗降階段７３から持ち込む。このとき、浴槽４が、空間Ｓの左右方向の一方（図面では右側）に寄ったものとして配設されているので、ペットを抱えながら移動するだけの作業空間ｓ１１が確保されており、ペットを乗降階段７３から容易に持ち込むことができる。
【００５０】
浴槽４においては、浴槽本体４１に天板部４２を取り付けていない状態で、浴槽本体４１内にペットを載置して、シャワー３により温水による洗浄作業が行える。このとき、浴槽４の長手両側方向の作業空間ｓ１１、ｓ１２のそれぞれに作業者がたてば、両作業者が洗浄作業を行うことができ、作業効率が良いものとなる（図３、図６）。このとき、一方の作業者がペットを保定しながら、他方がシャワー３を用いれば安全に作業することができる。
【００５１】
また、浴槽４において浴槽本体４１に天板部４２を取り付けて閉塞状態Ｒとすることで、閉塞状態Ｒとした浴槽４にペットを載置してカット、洗浄後の乾燥、及びセットの作業が行える。
【００５２】
第二作業台６においては、第二作業台６の一側面方向の作業空間ｓ２１にてカット、洗浄後の乾燥、及びセットの作業が行える。このとき、浴槽４の長手方向が第二作業台６の長手方向と略直角に交わるように配設されているので、浴槽４から第二作業台６へ移動するとき、ペットから見て前方へ移動するようにすれば、ペットの移動が容易に行える。
【００５３】
浴槽４を閉塞状態Ｒとすれば、第二作業台６とで同時に複数のカット、乾燥作業が行える（図６）。
【００５４】
また換気扇Ｆを作動させて、ペットの毛の飛散を抑えることができる。
【００５５】
また保守管理の際は、ペット美容作業台４を、その一側面が空間Ｓの後端に接するように配設し、かつ、ペット美容作業台４の下方に湯沸し器２や濾過装置８やポンプ９２を収蔵しており、ペット美容作業台４の下方側面に点検空間Ｔ、Ｕを設けているので、乗降口７１から、容易にトラップ８１や濾過網８２の洗浄ができる。
【００５６】
なお、この発明は、例えば、固定手段４４を有さないペット美容作業台４を備えた車両としてもよい。すなわち、内側にペット洗浄空間Ｐを形成すると共にこのペット洗浄空間Ｐを上方に開放したものとする開口Ｑを形成してある浴槽本体４１と、この浴槽本体４１を支持する支持体４３と、それ自体を浴槽本体４１に取り付けて前記開口Ｑを部分的或いは全体的に閉塞する閉塞状態Ｒとすることができる天板部４２とから構成してあると共に、前記閉塞状態Ｒにおいて前記天板部４２にぺットを載せ置くことができるようにしたペット美容作業台４を備えた車両であってもよい。
【００５７】
また、その他各部の具体的な構成を含めて上述した実施例に限定されるものでなく、この発明の趣旨を逸脱しない範囲で種々の変形及び組み合わせが可能である。
【００５８】
【発明の効果】
この発明のペット美容車両は、以上に述べたように構成されているので、作業スペースが確保され、作業の効率性が良く、流し台から作業台へペットを移動させる手間もかからないため、安全性にも優れたものとなった。
【図面の簡単な説明】
【図１】この発明の第一実施の形態におけるペット美容車両を示す斜視図。
【図２】同実施の形態におけるペット美容車両の空間Ｓにおける配置状態を示す斜視図。
【図３】同実施の形態におけるペット美容車両の空間Ｓにおける配置状態を示す平面説明図。
【図４】同実施の形態におけるペット美容車両のペット美容作業台４、湯沸し器２、濾過装置８、及び加圧ポンプ９２を示す斜視説明図。
【図５】同実施の形態におけるペット美容車両のペット美容作業台４、湯沸し器２、濾過装置８、及び加圧ポンプ９２を示す正面説明図。
【図６】同実施の形態におけるペット美容車両の空間Ｓにおける使用状態を示す平面説明図。
【図７】従来のペット美容車両を示す平面図である。
【符号の説明】
１　給水槽
２　湯沸し器
３　シャワー設備
４　ペット美容作業台
４１　浴槽本体
４１ａ　排水口
４１ｂ　側部
４１ｃ　底部
４２　天板部
４３　支持体
４４　固定手段
５　排水槽
７　乗降設備７
８　濾過装置
Ｐ　ペット洗浄空間
Ｑ　開口
Ｓ　空間
【図１】
2004024148.tif 000003
【図２】
2004024148.tif 000004
【図３】
2004024148.tif 000005
【図４】
2004024148.tif 000006
【図５】
2004024148.tif 000007
【図６】
2004024148.tif 000008
【図７】
2004024148.tif 000009